(57)【特許請求の範囲】
【請求項１】
ボルトに螺合されたナットから突出した前記ボルトの脚部のネジ溝に嵌め込まれるコイルバネ部と、
該コイルバネ部の素線から少なくとも前記コイルバネ部より離れる方向へ延びると共に前記コイルバネ部のほぼ中心軸線を横切るように曲がっているツマミ部とを備え、
前記コイルバネ部により前記ナットの離脱方向の回転が規制される
ボルト・ナットの緩み止め具。
【請求項２】
前記ツマミ部の反対側にある前記コイルバネ部の素線の先端の少なくとも一部がネジ溝に嵌め込まれる
請求項１に記載のボルト・ナットの緩み止め具。
【請求項３】
前記コイルバネ部は、等ピッチで巻かれた
請求項１または請求項２に記載のボルト・ナットの緩み止め具。
【発明の詳細な説明】
【０００１】
【産業上の利用分野】
本発明は、ボルトの先端に装着され、ナットを仮止めしたり、ナットの緩みや落下を防止するボルト・ナットの緩み止め構造に関する。
【０００２】
【従来の技術】
構造物の固定には、ボルト・ナットによる締付け法があらゆる分野で多用されている。例えば、鉄骨造りの建物や鉄塔，道路の設置物から自動車や電器製品に至るまで幅広く使われる。
ボルト１に締付けられたナット２は、単純に取り付けただけでは、振動，外力等で緩んでしまいやすいため、図７（ａ）のようにナット２の装着時にスプリングワッシャ３を挟みこむことが通常行なわれるが、状況によっては不充分であることが多い。このため、確実には図７（ｂ）のようにナット２の装着されたボルト１にもうひとつのナット２を螺合させ、ナット同士を締付けて固定する方法（ダブルナット法）がとられる。また、場合によってはロックペイント等で、塗布・固着が行なわれる。
しかし、ダブルナット法では、締付けた直後は固定が確実ではあるが、長期に亘って振動を受けたり何かがぶつかる等の衝撃により一旦緩むと、２個のナットがそれぞれ自由に回転出来るようになってしまい、挙句の果てはナットがボルトから脱落してしまう虞がある。また、奥側のナットを増し締めする場合、ボックスレンチが使えない不便もある。
ロックペイント法では乾燥したペイントの接着性・強度の不足や経時劣化による脱落の可能性があった。
【０００３】
【発明が解決しようとする課題】
本発明は、このような問題を解消すべく案出されたものであり、ナットが螺合されたボルトの脚部に簡単な作業で取り付けられ、長期間に亘って緩みを確実に防止し、経時劣化の虞のないボルト・ナットの緩み止めを提供することを目的とする。
【０００４】
【課題を解決するための手段】
本発明のボルト・ナットの緩み止め構造は、上記目的を達成するため、ボルトと、該ボルトに螺合されたナットと、該ナットから突出した前記ボルトの脚部のネジ溝に嵌め込まれたコイルバネとを備え、該コイルバネにより前記ナットの離脱方向の回転が規制されることを特徴とする。ボルトのネジ溝に嵌め込まれたコイルバネの素線の外側一部がボルトのネジ山から突出しており、該突出部の半径方向広がりを規制するキャップを装着するとさらに強固な緩み止めとなる。コイルバネの少なくとも一端部をキャップの内側に固着して、一体としたものを装着してもよい。
【０００５】
【作用】
ボルト１の脚部４のネジ外径よりわずかに小さい内径をもつコイルバネ７をボルト１の脚部４のネジ溝に嵌め込むとき、コイルバネ７の素線７ａは、図１（ａ）に示すように、ネジ溝を埋めるように嵌り込み、素線７ａの各部分は、素線７ａのもつ弾性力によりボルトの軸中心に向って押付けられる。その結果、図１（ｂ）に示すように素線７ａとネジ溝の内側との接触部Ｃは圧迫され、強い摩擦力が生じ、コイルバネ７はボルト１の脚部４のネジ溝に強固に固定される。このため、緩み止めしたいナット２に隣接した位置でコイルバネ７を脚部４に装着しておくと、ナット２はこの部分で回転を阻止され、緩まないようになる。コイルバネ７の素線７ａの先端がナットとボルトの隙間に入り込むことにより、効果的にナットの回転が規制される。このため、素線７ａの先端は、ナットとボルトの隙間に入り込み易いように、例えば図１（ｄ）に示すように、先細りに加工しておくと良い。
さらに、図１（ｃ）に示すように、ネジ溝から突出する程度に太い素線７ａを用い、キャップ８によりコイルバネ７の外周に接して覆うことで素線７ａのネジ溝からの浮き上がりが防げる。
【０００６】
【実施の形態】
本発明のボルト・ナットの緩み止め構造を用いた緩み止め１０の一例を図２に示す。緩み止め１０は、弾性のある金属又は樹脂等からなり、ツマミ部１１とコイルバネ部１２とを有する。これを、ナット２が螺合されたボルト１の脚部４に嵌め込むには、図２（ｂ）のように、ツマミ部１１をＡ方向に回転させ、緩み止め１０を脚部４の端部からネジ溝に沿って素線１４が入り込むようにネジ込む。コイルバネ部１２はボルト１のネジ部５の外径よりわずかに小さい内径をもつため、素線１４がネジ溝に入り込むとネジ溝の両側の斜面に押付けられ、摩擦力により拘束される。しかし、コイルバネ部１２の装着方向（Ａ方向）にツマミ部１１を回すと、コイルバネ部１２は径が拡大される方向に変形するため、ネジ溝に入り込んだ素線１４が浮き気味になり摩擦力が軽減され、スムースにネジ込むことが出来る。
【０００７】
逆に、取り外す方向（Ａ方向の逆）にツマミ部１１を回そうとしたとき、コイルバネ部１２は径が縮小される方向に引張られるため、より強くコイルバネ部１２の素線１４がネジ溝の斜面に押付けられ、回転が阻止される。すなわち、ツマミ部１１を回してコイルバネ部１２をボルトに装着するとき、順方向（装着方向：Ａ方向）には回しやすいが逆方向（離脱方向）には回しにくいという作用を奏し、外部からの不測の衝撃等により離脱方向に戻ることがない。図２（ｃ）に示すように、素線先端１３がボルト１とナット２の隙間に入り込むまでツマミ部１１を回して装着を完了する。ナット２の動きを強固に規制するためには、素線先端１３はボルト１とナット２の隙間に奥深く押し込むことが好ましい。ナット２が緩む方向（Ｂ方向）に回ろうとすると、素線先端１３はボルト１とナット２の隙間に深く挟まれ、ナット２の固定がますます強固になる。
【０００８】
コイルバネ部１２の必要巻き数は、コイルバネ部１２の直径，素線１４の直径，強さ等の設計条件によって設定される。ツマミ部１１は、図３（ａ）のように横に向けて設けても良い。また図３（ｂ）のように、１ターンとすることも出来る。
バネの素線１４の硬度は、ボルト・ナットの材質等を考慮して決められる。素線先端１３がくい込んだときに、ボルト・ナットに傷をつけないように、多少柔らかい材質を用いてもよい。
コイルバネ部１２が長すぎて余っても、緩み止め効果は得られるが、緩み止め１０のコイルバネ部１２の長さは装着されるボルト１の脚部４の長さに対応して設定されるのが好ましい。
【０００９】
必要に応じて比較的弾性の弱いバネを用いると、ツマミ部１１を回さずに、押し込むだけで装着することも出来、着脱が容易となる。この場合、装着された緩み止め１０の外周を覆うようなキャップ２０を取り付けると、緩み止め１０の装着はより確実になる。キャップ２０は例えば、図４（ａ）に示すような形状で、弾性のある金属又は樹脂等からなり、ボルト１の軸方向から装着される。装着されたキャップ２０の内面は、ボルト１のネジ部５の溝に嵌り込んだ緩み止め１０の素線１４の溝から突出した部分を押える。そのため、この状態では緩み止め１０は最も確実に固定される。キャップ２０の形状は図４（ｂ）のような形状も可能で、矢印の方向に差し込んで用いる。
緩み止め１０とキャップ２０は必ずしも、別体である必要はなく、予め一体としておいても良い。図５にキャップ一体型緩み止め３０の一例を示す。（ａ）では、ある程度の可撓性のある樹脂製のキャップ部３１は、内側でバネ部３２の外周に接し、バネの一端はキャップ部３１の内部を通り、ツマミ部３３に達している。これを、緩み止めをするナット２から突出したボルト１の脚部４にツマミ部３３を回して装着する。ナット２の締り状態の点検時には、ツマミ部３３に治具等を引掛けて、引張って取り外す。このとき、バネ部３２は離脱方向には回せないためキャップ部３１とバネ部３２は破壊されて取り外され、新しい緩み止め３０が装着される。ナットの形状をしたキャップ部３１（ｂ）も同様に用いられるが、ボルト１の脚部４が長い場合に適している。
キャップ２０又はキャップ部３１に着色したものを用いることで、その部分の装着・施工時期等の情報を色の種類により付加することも出来る。また、例えば多くのボルト・ナットを用いている鉄塔等で不測の事態等で、緩み止めが脱落したものがあっても比較的遠隔位置から、一目で確認することが出来る。
以上は、右ネジで説明したが、左ネジに対しても同様に実施可能であることは勿論である。
また、素線７ａの断面形状は図６に示すように、楕円（ａ），台形（ｂ）等が考えられる。
【００１０】
【発明の効果】
以上に説明したように、本発明による緩み止め構造は、ボルトの脚部のネジ溝にボルトの外径よりわずかに小さい内径をもつコイルバネ部の素線が嵌り込む構造になっている。このため、摩擦力により素線がネジ溝に強固に固定される。
緩み止めの装着に際し、装着方向にはスムースにネジ溝内を送られるが、離脱方向には緩み止めを回せないという作用を奏し、素線がボルトとナットの隙間に入り込むことで、確実にナットの緩みや脱落を防止することが出来る。そのうえ、例えばダブルナット方式に比べて非常に低コストで簡単に装着できる緩み止めが可能となる。バネの浮き上がりを規制するキャップを被せたりキャップ一体型とすれば、より確実となる。
【図面の簡単な説明】
【図１】  本発明の緩み止め構造（ａ），ネジ山断面（ｂ），（ｃ）及び素線の先端形状（ｄ）
【図２】  本発明の緩み止めの一例
【図３】  本発明の緩み止めの他の例
【図４】  本発明のキャップの一例（ａ）及び他の例（ｂ）
【図５】  本発明のキャップ一体型緩み止めの一例（ａ）及び他の例（ｂ）
【図６】  バネ素線の断面形状の例
【図７】  従来用いられているワッシャ（ａ）及びダブルナット（ｂ）
【符号の説明】
１：ボルト    ２：ナット    ３：スプリングワッシャ
４：脚部    ５：ネジ部    ７：コイルバネ    ７ａ：素線    ８：キャップ
１０：緩み止め    １１：ツマミ部    １２：コイルバネ部    １３：素線先端
１４：素線
２０：キャップ
３０：緩み止め    ３１：キャップ部    ３２：バネ部    ３３：ツマミ部
【図１】
0004259688.tif 000002
【図２】
0004259688.tif 000003
【図３】
0004259688.tif 000004
【図４】
0004259688.tif 000005
【図５】
0004259688.tif 000006
【図６】
0004259688.tif 000007
【図７】
0004259688.tif 000008